(57)【要約】  サーバは、電気機器の消費電力量を含む測定データを電力管理端末より受信する。また、サーバは、電力の使用実績、カレンダーなどの電力に関する情報に基づいて分類されたアドバイス判定条件と、そのアドバイス判定条件に対する優先度と、アドバイス判定条件に対応するアドバイスのテキストとを保持している。そして、測定データに基づき、優先度の高いアドバイス判定条件からアドバイス判定条件が満たされるか否かを判定し、その判定結果に従って対応するアドバイスを選択する。ここで、アドバイス判定条件に従って選択されるアドバイスに対して選択確率が定義されており、その選択確率に従いアドバイスを選択する。  そして、アドバイスの選択された順番に従って、アドバイスのテキストを埋め込んだ電力管理情報に関する画面のデータを、クライアント端末に送信し、クライアント端末は、その画面を表示する。
2013124993.tif 000002
【特許請求の範囲】
【請求項１】
電気機器の消費電力量を測定する電力計測センサと、
前記電力計測センサから、測定された測定データをネットワークを介して受信し、サーバに転送する電力管理端末と、
前記電力管理端末とネットワークにより接続され、測定データを保持するサーバと、
前記サーバとネットワークにより接続され、前記サーバから電力管理情報に関する画面データを受信し、電力管理情報に関する画面を表示するクライアント端末とを有する省エネルギー支援システムにおいて、
前記サーバは、電力に関する情報に基づいて分類された複数のアドバイス判定条件と、該複数のアドバイス判定条件に対する優先度と、アドバイス判定条件の判定結果に対応するアドバイスのテキストとを保持し、
前記サーバは、前記測定データに基づき、前記優先度の高い前記アドバイス判定条件から順に前記アドバイス判定条件が満たされるか否かを判定し、その判定結果に従って対応するアドバイスを選択し、
前記サーバは、前記クライアント端末から前記電力管理情報に関する画面の表示要求があったときには、前記アドバイスの選択された順番に従って、前記アドバイスのテキストを埋め込んだ前記電力管理情報に関する画面のデータを、前記クライアント端末に送信することを特徴とする省エネルギー支援システム。
【請求項２】
前記複数のアドバイス判定条件の優先度を変更することにより、判定する順番を変更することを特徴とする請求項１に記載の省エネルギー支援システム
【請求項３】
前記アドバイス判定条件を分類する電力に関する情報は、電力の使用実績、カレンダー、気候、電気代、または、他のサービス情報のいずれか一つ以上であることを特徴とする請求項１記載の省エネルギー支援システム。
【請求項４】
前記アドバイス判定条件の判定結果に従って選択されるアドバイスのテキストは、一つのアドバイス判定条件の一つの判定結果に対して、複数定義されており、その複数のアドバイスに対して選択確率が定義されており、前記サーバは、前記選択確率に従って、対応するアドバイスを選択することを特徴とする請求項１記載の省エネルギー支援システム。
【請求項５】
前記選択されたアドバイスを、規定数のエントリを有するキューとして保持し、前記キューに格納された順番に基づき、前記選択されたアドバイスのテキストを前記電力管理情報に関する画面の生成に使用することを特徴とする請求項１記載の省エネルギー支援システム。
【請求項６】
電気機器の使用個所に設置される電力管理端末から、ネットワークを介して消費電力量を含む測定データを受信し、ネットワークを介してクライアント端末に電力管理情報に関する画面データを送信するサーバにおいて、
電力に関する情報に基づいて分類された複数のアドバイス判定条件と、該複数のアドバイス判定条件に対する優先度と、アドバイス判定条件の判定結果に対応するアドバイスのテキストとを保持し、
前記測定データに基づき、前記優先度の高い前記アドバイス判定条件から順に前記アドバイス判定条件が満たされるか否かを判定し、その判定結果に従って対応するアドバイスを選択し、
前記クライアント端末から前記電力管理情報に関する画面の表示要求があったときには、前記アドバイスの選択された順番に従って、前記アドバイスのテキストを埋め込んだ前記電力管理情報に関する画面のデータを、前記クライアント端末に送信することを特徴とするサーバ。
【請求項７】
前記複数のアドバイス判定条件の優先度を変更することにより、判定する順番を変更することを特徴とする請求項６に記載のサーバ。
【請求項８】
前記アドバイス判定条件を分類する電力に関する情報は、電力の使用実績、カレンダー、気候、電気代、または、他のサービス情報のいずれか一つ以上であることを特徴とする請求項６記載のサーバ。
【請求項９】
前記アドバイス判定条件の判定結果に従って選択されるアドバイスのテキストは、一つのアドバイス判定条件の一つの判定結果に対して、複数定義されており、その複数のアドバイスに対して選択確率が定義されており、前記選択確率に従って、対応するアドバイスを選択することを特徴とする請求項６記載のサーバ。
【請求項１０】
前記選択されたアドバイスを、規定数のエントリを有するキューとして保持し、前記キューに格納された順番に基づき、前記選択されたアドバイスのテキストを前記電力管理情報に関する画面の生成に使用することを特徴とする請求項６記載のサーバ。
【請求項１１】
電気機器の使用個所に設置される電力管理端末から、ネットワークを介して消費電力量を含む測定データを受信し、ネットワークを介してクライアント端末に電力管理情報に関する画面データを送信するサーバから、前記電力管理情報に関する画面データを受信して表示するクライアント端末において、
前記サーバは、電力に関する情報に基づいて分類された複数のアドバイス判定条件と、該複数のアドバイス判定条件に対する優先度と、アドバイス判定条件の判定結果に対応するアドバイスのテキストとを保持し、
前記サーバは、前記測定データに基づき、前記優先度の高い前記アドバイス判定条件から順に前記アドバイス判定条件が満たされるか否かを判定し、その判定結果に従って対応するアドバイスを選択し、
前記クライアント端末は、前記サーバに前記電力管理情報に関する画面の表示要求をし、
前記サーバは、前記アドバイスの選択された順番に従って、前記アドバイスのテキストを埋め込んだ前記電力管理情報に関する画面のデータを、前記クライアント端末に送信し、
前記クライアント端末は、受信した前記電力管理情報に関する画面のデータによる電力管理情報に関する画面を表示することを特徴とするクライアント端末。
【請求項１２】
前記クライアント端末は、前記電力管理情報に関する画面をＷｅｂブラウザ、または、表示のための専用アプリケーションプログラムを実行することにより、表示することを特徴とする請求項１１記載のクライアント端末。
【請求項１３】
電気機器の消費電力量を測定する電力計測センサと、
前記電力計測センサから、測定された測定データをネットワークを介して受信し、サーバに転送する電力管理端末と、
前記電力管理端末とネットワークにより接続され、測定データを保持するサーバと、
前記サーバとネットワークにより接続され、前記サーバから電力管理情報に関する画面データを受信し、電力管理情報に関する画面を表示するクライアント端末とを有するシステムにおける省エネルギー支援の画面表示方法において、
前記電力計測センサが、電力管理端末に消費電力量を含む測定データを送信するステップと、
前記電力管理端末が、前記サーバに、前記測定データを送信するステップと、
前記サーバが、電力に関する情報に基づいて分類された複数のアドバイス判定条件と、該複数のアドバイス判定条件に対する優先度と、アドバイス判定条件の判定結果に対応するアドバイスのテキストとを保持するステップと、
前記サーバが、受信した前記測定データに基づき、前記優先度の高い前記アドバイス判定条件から順に前記アドバイス判定条件が満たされるか否かを判定し、その判定結果に従って対応するアドバイスを選択するステップと、
前記クライアント端末が、前記サーバに前記電力管理情報に関する画面の表示要求を行うステップと、
前記サーバが、前記クライアント端末から前記電力管理情報に関する画面の表示要求に従い、前記アドバイスの選択された順番に従って、前記アドバイスのテキストを埋め込んだ前記電力管理情報に関する画面を、前記クライアント端末に送信するステップと、
前記クライアント端末が、受信した前記電力管理情報に関する画面のデータによる電力管理情報に関する画面を表示するステップとを有することを特徴とする省エネルギー支援の画面表示方法。
【発明の詳細な説明】
【技術分野】
【０００１】
本発明は、省エネルギー支援システム、および、省エネルギー支援の画面表示方法に係り、特に、家庭の電気使用における省エネルギーを促進するのに好適な省エネルギー支援システム、および、省エネルギー支援の画面表示方法に関する。
【背景技術】
【０００２】
近年、地球環境問題、特に温室効果ガスの削減が論じられており、各家庭でも省エネルギーな生活をおくり、資源を節約するという意識も求められている。【０００３】
このような状況を受けて、コンピュータシステムにより、家庭において電気の使用を行うユーザに対して、電気使用に関する情報を把握できるように表示する技術が提案さている。【０００４】
例えば、特許文献１には、利用者に居住環境の温度に対する要望を入力させ、それによる省エネルギー効果を表示する（図５）環境設備制御システムが開示されている。【０００５】
また、特許文献２には、各家庭における電気機器から、消費電力量を収集し、各家庭に設置される専用の表示装置に、省エネメッセージ（図４）、省エネ診断メッセージ（図５）を表示するエネルギー管理システムが開示されている。【０００６】
また、特許文献３には、各家庭における電気機器の稼動状態を判定し、適切なメッセージを表示する（図１１、図１４）省エネ支援システムが開示されている。
【先行技術文献】
【特許文献】
【０００７】
【特許文献１】特開２００６−２３４２４４号公報
【特許文献２】特開２００３−１６２７８７号公報
【特許文献３】特開２０１０−２１８０７７号公報
【発明の概要】
【発明が解決しようとする課題】
【０００８】
従来技術としては、例えば、特許文献２に示されるように、システムが家庭における電気機器から、消費電力量を収集して、省エネメッセージ、省エネ診断メッセージを表示することにより、ユーザは、それに対応して対策をとる技術が提案されている。【０００９】
家庭において、省エネルギー対策の実効をあげるためには、ユーザが気軽に省エネルギー情報にアクセスできるようにして、省エネルギーに対して興味を持ってもらうことが重要になってくる。【００１０】
しかしながら、上記従来技術は、ユーザが時期やその達成度に応じた省エネルギー対策をとることを促進することについては、考慮されていない。また、特許文献２のシステムでは、専用端末が必要であるため、モバイル機器で気軽に省エネルギー情報にアクセスして、メッセージを受け取ったりすることはできなかった。【００１１】
本発明は、上記問題点を解決するためになされたもので、家庭における電気機器に関する省エネルギーを促進する場合に、ユーザが気軽に省エネルギー情報にアクセスでき、時期やその達成度に応じた省エネルギー対策をとることを支援する省エネルギー支援システムを提供することにある。
【課題を解決するための手段】
【００１２】
本発明の省エネルギー支援システムにおいては、電気機器の消費電力量を測定する電力計測センサと、電力計測センサから、測定された測定データを無線や有線などのネットワークを介して受信し、サーバに転送する電力管理端末と、電力管理端末とネットワークにより接続され、測定データを保持するサーバと、サーバとネットワークにより接続され、サーバから電力管理情報に関する画面データを受信し、電力管理情報に関する画面を表示するクライアント端末とを有している。【００１３】
サーバは、電力の使用実績、カレンダー、気候、電気代、または、他のサービス情報などの電力に関する情報に基づいて分類されたアドバイス判定条件と、そのアドバイス判定条件に対する優先度と、アドバイス判定条件に対応するアドバイスのテキストとを保持している。【００１４】
サーバは、測定データに基づき、優先度の高いアドバイス判定条件からアドバイス判定条件が満たされるか否かを判定し、その判定結果に従って対応するアドバイスを選択する。ここで、アドバイス判定条件に従って選択されるアドバイスのテキストは、一つのアドバイス判定条件の一つの判定結果に対して、複数定義されており、その複数のアドバイスに対して選択確率が定義されており、サーバは、その選択確率に従って、対応するアドバイスを選択するようにする。【００１５】
選択されたアドバイスは、確定アドバイスのキューに格納され、ＦＩＦＯの順により、取り出される。また、アドバイスは、なにも含まず、キューにもエントリされないアドバイス（空振り）を含むものとする。【００１６】
そして、サーバは、クライアント端末から電力管理情報に関する画面の表示要求があったときには、アドバイスの選択された順番に従って、アドバイスのテキストを埋め込んだ電力管理情報に関する画面のデータを、クライアント端末に送信し、クライアント端末は、その画面を表示する。
【発明の効果】
【００１７】
本発明によれば、家庭における電気機器に関する省エネルギーを促進する場合に、ユーザが気軽に省エネルギー情報にアクセスでき、時期やその達成度に応じた省エネルギー対策をとることを支援する省エネルギー支援システムを提供することができる。
【図面の簡単な説明】
【００１８】
【図１】本発明の一実施形態に係る省エネルギー支援システムのシステム構成図である。
【図２】本発明の一実施形態に係る電力管理端末の構成を示すブロック図である。
【図３】本発明の一実施形態に係るクライアント端末の構成を示すブロック図である。
【図４】本発明の一実施形態に係るサーバの構成を示すブロック図である。
【図５】測定データテーブルを示す図である。
【図６】アドバイス判定条件順位テーブルを示す図である。
【図７Ａ】アドバイステキストテーブルを示す図である（その一）。
【図７Ｂ】アドバイステキストテーブルを示す図である（その二）。
【図７Ｃ】アドバイステキストテーブルを示す図である（その三）。
【図７Ｄ】アドバイステキストテーブルを示す図である（その四）。
【図７Ｅ】アドバイステキストテーブルを示す図である（その五）。
【図７Ｆ】アドバイステキストテーブルを示す図である（その六）。
【図７Ｇ】アドバイステキストテーブルを示す図である（その七）。
【図８】アドバイス選択確率設定テーブルを示す図である。
【図９】確定アドバイスキューを示す図である。
【図１０】ユーザ登録テーブルを示す図である。
【図１１】本発明の一実施形態に係る省エネルギー支援システムの全体の処理を説明するタイミングチャートである。
【図１２】アドバイス判定の処理の概要を説明する図である。
【図１３】判定条件の優先度の変更を説明する図である。
【図１４】判定条件の優先度の変更をするときの具体例を説明する図である。
【図１５】アドバイス選択確率を説明する図である。
【図１６】アドバイス選択確率の設定の例を示す図である。
【図１７】アドバイス判定の処理の全体を示すフローチャートである。
【図１８】判定条件の具体例を示すフローチャートである。
【図１９】アドバイス選択の例を示すフローチャートである。
【図２０Ａ】クライアント端末に表示される画面の例を示す図である（その一）。
【図２０Ｂ】クライアント端末に表示される画面の例を示す図である（その二）。
【発明を実施するための形態】
【００１９】
以下、本発明に係る一実施形態を、図１ないし図２０Ｂを用いて説明する。
先ず、図１ないし図４を用いて、本発明の一実施形態に係る省エネルギー支援システムの構成について説明する。
図１は、本発明の一実施形態に係る省エネルギー支援システムのシステム構成図である。
図２は、本発明の一実施形態に係る電力管理端末の構成を示すブロック図である。
図３は、本発明の一実施形態に係るクライアント端末の構成を示すブロック図である。
図４は、本発明の一実施形態に係るサーバの構成を示すブロック図である。
【００２０】
本実施形態に係る省エネルギー支援システムは、家庭用の省エネルギー管理システムを前提としており、図１に示されるように、電力管理端末１００（親機）、電力計測センサ（子機）１０、電力量センサー９０、ルータ４０、クライアント端末２０ａ，サーバ３０からなる。
【００２１】
電力管理端末１００は、子機にあたる電力計測センサ１０から、設備で一定時間消費する電力を子機ＩＤと共に測定データとして受信し記憶する。そして、ルータ４０を介して、インターネットによりサーバ３０に測定データとして、親機ＩＤ、子機ＩＤと共に電力量をアップロードする。
【００２２】
サーバ３０は、各家庭（親機ＩＤ、子機ＩＤにより特定される）の電力量を、蓄積しておき、一定時間ごと（例えば、１日に１回、６時間に一回など）、あるいは、表示の要求があったときに、省エネルギーに関するアドバイスを作成して、Ｗｅｂページとしてクライアント端末２０ａ，２０ｂに送信する。
【００２３】
省エネルギーに関するアドバイスの作成の処理とその内容については、後に詳説する。
【００２４】
また、サーバ３０は、外部の天気情報を提供するサーバ、オンラインショップとも接続されており、インターネットにより、情報を取り込めるものとする。
【００２５】
電力計測センサ１０は、一定時間ごとに、電力量を計測した測定データを親機である電力管理端末１００に送信する。電力計測センサ１０は、例えば、分電盤８０に設置された電力量センサー９０に接続され、電力量を計測するタイプのモニターである。
【００２６】
電力量センサー９０は、各分電盤の系統ごとに消費電力を計測することが可能であり、例えば、家庭において消費電力の多いエアコン、冷蔵庫、洗濯機などの消費電力を把握することができる。また、分電盤の系統をリビングルームとして、リビングルームに接続した全ての電気機器の消費電力を把握するように接続することもできる。
【００２７】
クライアント端末２０ａは、例えば、汎用のスマートフォンであり、サーバ３０からインターネットに接続されている基地局４１を介して無線により送られてきた電力情報と、それに関するアドバイスを表示画面に表示する。クライアント端末２０ａに関する表示画面は、後に詳説する。
【００２８】
クライアント端末２０ｂは、例えば、ネットワークに接続できる汎用のパーソナルコンピュータ（以下、ＰＣと称す）であり、インターネットに接続されており、サーバ３０からの電力情報と、それに関するアドバイスを表示画面に表示する。クライアント端末２０ａに関する表示画面を表示する。
【００２９】
ルータ４０は、電力管理端末１００をネットワークに接続する装置である。電力管理端末１００は、ルータ４０によりインターネットに接続され、サーバ３０に測定データを送ったり、サーバ３０の管理情報を受信する。
【００３０】
基地局４１は、サーバ３０とクライアント端末２０ａが無線で情報をやりとりするときの発着点とするための通信装置が置かれた設備である。
【００３１】
次に、電力管理端末１００のハードウェア構成について詳細に説明する。
【００３２】
電力管理端末１００は、図２に示されるように、ＭＰＵ１１０、ＲＡＭ１２０、ＲＯＭ１３０、ネットワークＩＦ１４０、ＵＳＢＩＦ１５０、ＵＳＢメモリ１６０、無線ＩＦ１７０、アンテナ１８０からなる。
【００３３】
ＭＰＵ（Micro Processor Unit）１１０は、制御部であり、プログラムの実行、各種の演算をおこない、各部に入出力指令を行う。
【００３４】
ＲＡＭ（Random Access Memory）１２０は、半導体による主記憶装置であり、ＭＰＵ１１０により実行するプログラムや演算のためのワークデータが保持される。
【００３５】
ＲＯＭ（Read Only Memory）１３０は、実行するプログラムを保持するメモリである。このＲＯＭ１３０には、電力管理プログラムが装置の製造時に書き込まれる。
【００３６】
なお、電力管理プログラムは、サーバ３０から定期的に書き換え、最新のものに更新するようにしてもよい。
【００３７】
ネットワークＩＦ１４０は、有線ネットワークのためのインターフェースであり、例えば、イーサネット（登録商標）により、ルータ４０に接続される。電力管理端末１００は、このネットワークＩＦ１４０を介して、サーバ３０に測定データをまとめて送信する。
【００３８】
ＵＳＢＩＦ１５０は、ＵＳＢ（Universal Serial Bus）機器を接続させるためのインターフェースである。ＵＳＢは、汎用のシリアルインターフェースであり、本実施形態の電力管理端末１００では、スロットにＵＳＢメモリ１６０を差し込み、このＵＳＢメモリ１６０を補助記憶として用いて、収集した測定データを保持する。
【００３９】
無線ＩＦ１７０は、アンテナ１８０から電波を送受信し、無線通信を行うためのインターフェースである。無線通信としては、例えば、周波数帯域２．４ＧＨｚのＩＥＥＥ８０２．１１ｂ、Ｂｌｕｅｔｏｏｔｈ（登録商標）などの規格による通信を用いることができる。本実施形態の電力管理端末１００は、この無線ＩＦ１７０を介して、各サイトに設置された子機から測定データを収集する。
【００４０】
なお、電力管理端末１００と各サイトに設置された子機は、ネットワークＩＦ１４０を介して有線で接続してもよい。
【００４１】
次に、クライアント端末２０ａのハードウェア構成について詳細に説明する。
【００４２】
クライアント端末２０ａは、例えば、スマートフォンである場合の構成について説明する。
【００４３】
クライアント端末２０ａは、図３に示されるように、プロセッサ２１０、ＲＡＭ２１２、フラッシュメモリ２１４、ディスプレイＩＦ２２０、液晶ディスプレイ（ＬＣＤ：Liquid Crystal Display）２２２、タッチパネルＩＦ２３０、タッチパネル２３２、オーディオＩＦ２４０、スピーカ２４２、カードスロット２５０、ＵＳＢＩＦ２６０、無線ＩＦ２７０、アンテナ２７２からなる。
【００４４】
プロセッサ２１０は、制御部であり、プログラムの実行、各種の演算をおこない、各部に入出力指令を行う。
【００４５】
ＲＡＭ（Random Access Memory）２１２は、半導体による主記憶装置であり、プロセッサ２１０により実行するプログラムや演算のためのワークデータが保持される。
【００４６】
フラッシュメモリ２１４は、実行するプログラムやデータを保持するメモリである。このフラッシュメモリ２１４には、例えば、Ｗｅｂブラウザが保持される。後に説明する本実施形態のアドバイスの表示は、汎用のＷｅｂブラウザを用いてもよいし、専用の表示のためのアプリケーションプログラムをインストールして、実行するようにしてもよい。
【００４７】
ディスプレイＩＦ２２０は、液晶ディスプレイ（ＬＣＤ：Liquid Crystal Display）２２２を接続するためのインターフェースである。
【００４８】
タッチパネルＩＦ２３０は、タッチパネル２３２を接続するためのインターフェースである。スマートフォンでは、表示部分と一体になったパネルを指などで触れて、コマンドや文字などを入力することができる。
【００４９】
オーディオＩＦ２４０は、音を出すために、スピーカ２４２やマイク２４３、図示していないがヘッドフォンなどを接続するインターフェースである。スピーカ２４２やマイク２４３は、通話のために用いられる。
【００５０】
カードスロット２５０は、ＳＤメモリカードを差し込むためのスロットである。ＳＤメモリカードは、データ取込み用として、また、フラッシュメモリ２１４の容量が足りなくなったときのメモリとして使用することができる。
【００５１】
ＵＳＢＩＦ２６０は、ＵＳＢ（Universal Serial Bus）機器を接続させるためのインターフェースである。ＵＳＢは、汎用のシリアルインターフェースであり、周辺機器を接続するときに用いられる。
【００５２】
無線ＩＦ２７０は、アンテナ２７２から電波を送受信し、無線通信を行うためのインターフェースである。本実施形態の無線により、サーバ３０と情報のやりとりをする。
【００５３】
サーバ３０は、図４に示されるように、一般的なコンピュータで実現され、ＣＰＵ（Central Processing Unit）３０１、主記憶装置３０２、ネットワークＩＦ３０３、グラフィックＩＦ３０４、入出力ＩＦ３０５、補助記憶装置ＩＦ３０６が、バスにより結合された形態になっている。
【００５４】
ＣＰＵ３０１は、サーバ３０の各部を制御し、主記憶装置３０２の必要なプログラムをロードして実行する。
【００５５】
主記憶装置３０２は、通常、ＲＡＭなどの揮発メモリで構成され、ＣＰＵ３０１が実行するプログラム、参照するデータが記憶される。
【００５６】
ネットワークＩＦ３０３は、外部のインターネットと接続するためのインタフェースである。
【００５７】
グラフィックＩＦ３０４は、ＬＣＤ（Liquid Crystal Display）などの表示装置３２０を接続するためのインタフェースである。
【００５８】
入出力ＩＦ３０５は、入出力装置を接続するためのインタフェースである。
【００５９】
補助記憶装置ＩＦ３０６は、ＨＤＤ（Hard Disk Drive）３４１やＤＶＤドライブ（Digital Versatile Disk）３４２などの補助記憶装置を接続するためのインタフェースである。
【００６０】
ＨＤＤ３４１は、大容量の記憶容量を有しており、本実施形態を実行するためのプログラムが格納されている。
【００６１】
サーバ３０は、データの安全と常時稼動の要請により、ＲＡＩＤを構成することが一般的である。また、図示していないが、専用の大容量ストレージ装置を接続することも可能である。
【００６２】
本実施形態のＨＤＤ３４１には、測定データ管理プログラム３６１、電気料金演算プログラム３６２、アドバイス処理プログラム３６３、Ｗｅｂサーバプログラム３６４などの各種プログラムが格納されている。
【００６３】
測定データ管理プログラム３６１は、電力管理端末１００から受信した測定データを保持し、テーブルからの読み出し、テーブルへの書き込みを行うためのプログラムである。
【００６４】
電気料金演算プログラム３６２は、電力量からそれに該当する電気料金を演算するためのプログラムである。
【００６５】
アドバイス処理プログラム３６３は、ユーザの電気機器の使用状況やその他の要因に基づいて適切なアドバイスを生成し、優先順位に基づいて表示するためのプログラムである。
【００６６】
Ｗｅｂサーバプログラム３６４は、Ｗｅｂページを提供するための必要な処理を行うプログラムである。
【００６７】
ＤＶＤドライブ３４２は、ＤＶＤやＣＤなどの光学ディスクにデータを書き込んだり、光学ディスクからデータを読み込んだりする装置であり、例えば、ＣＤ−ＲＯＭにより提供されたプログラムをサーバ３０にインストールすることができる。
【００６８】
本実施形態のサーバ３０は、上記のようなコンピュータに、必要なプログラムをインストールして、各機能を実行するものである。
【００６９】
次に、図５ないし図１０を用いて本発明の一実施形態に係る省エネルギー支援システムで使われるデータ構造について説明する。
図５は、測定データテーブルを示す図である。
図６は、アドバイス判定条件順位テーブルを示す図である。
図７Ａないし図７Ｇは、アドバイステキストテーブルを示す図である。
図８は、アドバイス選択確率設定テーブルを示す図である。
図９は、確定アドバイスキューを示す図である。
図１０は、ユーザ登録テーブルを示す図である。
【００７０】
測定データテーブルは、図５に示されるように、親機ＩＤ、子機ＩＤ、時刻、消費電力量の各フィールドからなる。
【００７１】
親機ＩＤ、子機ＩＤには、それぞれ親機と子機を識別するための一意的な識別子が格納される。時刻は、電力計測センサで計測された時刻である。本実施形態では、測定値の時間的な幅を１分としている。消費電力量のフィールドは、電力計測センサで測定される消費電力量［ｋＷｈ］である。
【００７２】
図６のアドバイス判定順位テーブルは、アドバイス判定種別ごとに、順位付けをするテーブルであり、優先度の少ないものほど、優先度を高くして、優先的にアドバイスを表示する。アドバイスの判定種別については、後に詳説する。
【００７３】
アドバイステキストテーブルは、具体的に、図７Ａないし図７Ｇに示されるように、Ｗｅｂページに表示するアドバイスを表示するためのテキストを、判定条件と関連付けて、保持するテーブルである。図中、ＡＩＤ＝”２１”、”２２”、”３１”、”３２”、”３３”、…の所は、空欄になっており、このときには、なにも表示しないことを意味する。
【００７４】
図８のアドバイス選択確率設定テーブルは、アドバイステキストテーブルに保持するアドバイスを表示するための確率を設定するテーブルである。本実施形態では、図７Ａの「昨日の実績」のアドバイステキストテーブルのアドバイスを、表示する確率を示している。
【００７５】
例えば、このテーブルのＮｏ３．の条件１、条件２がなりたったとき、そのレコードに該当するアドバイスを、確率に基づいて選択し、表示することを意味している。図８には、Ｙ１選択確率（ＡＩＤ（アドバイスＩＤ）＝”Ｙ１”のアドバイスを選択する確率をこのように表記する。以下同じ）＝３０％、Ｙ２選択確率＝２０％、Ｙ３選択確率＝１０％、３３選択確率＝４０％、４３選択確率＝０％となっており、それぞれの確率に基づいて、表示するアドバイスを選択する。このときに、ＡＩＤ＝”３３”と、ＡＩＤ＝”４３”が選択されたときには、実際にはなにも表示されないので、なにも表示されない確率は、４０％あることになる。
【００７６】
また、アドバイス３は、夏用のアドバイスであり、アドバイス４は、冬用のアドバイスであるため、夏（７〜９月）でないときには、アドバイス３の選択確率は、全て０に設定され、冬（１２〜３月）でないときには、アドバイス４の選択確率は、全て０にされる。
【００７７】
図９の確定アドバイスキューは、条件が成り立ったときに、表示することが確定されるアドバイスを格納するためのアドバイスＩＤのキューである。一般に、キューは、ＦＩＦＯ（First In, First Out）を示すデータ構造である。この確定アドバイスキューは、上から入って、下から出るものとする。
【００７８】
図１０のユーザ登録テーブルは、ユーザの登録情報を示すテーブルであり、ユーザＩＤ、パスワード、氏名、親機ＩＤ、子機ＩＤ、電話番号、機器ＩＤ、メールアドレスの各フィールドをからなる。
【００７９】
ユーザＩＤは、ユーザを一意に識別するための識別子であり、パスワードは、サーバのＷｅｂページにアクセスするためのパスワードである。
【００８０】
親機ＩＤ、子機ＩＤは、それぞれユーザの家庭に設置される親機（電力管理端末１００）と、子機（電力計測センサ１０）の識別子である。ただし、親機ＩＤは、通常１個であり、子機ＩＤは、複数設定できるものとする。電話番号は、ユーザの電話番号、機器ＩＤは、ユーザのクライアント端末２０ａ（スマートフォンなど）を一意的に識別する識別子である。メールアドレスは、ユーザがシステムと情報をやり取りするときに使われる電子メールのアドレスである。ユーザ登録テーブルには、その他、ユーザに関する情報を含んでもよい。
【００８１】
次に、図１１ないし図１８を用いて本発明の一実施形態に係る省エネルギー支援システムの処理について説明する。
図１１は、本発明の一実施形態に係る省エネルギー支援システムの全体の処理を説明するタイミングチャートである。
図１２は、アドバイス判定の処理の概要を説明する図である。
図１３は、判定条件の優先度の変更を説明する図である。
図１４は、判定条件の優先度の変更をするときの具体例を説明する図である。
図１５は、アドバイス選択確率を説明する図である。
図１６は、アドバイス選択確率の設定の例を示す図である。
図１７は、アドバイス判定の処理の全体を示すフローチャートである。
図１８は、判定条件の具体例を示すフローチャートである。
図１９は、アドバイス選択の例を示すフローチャートである。
図２０Ａ，図２０Ｂは、クライアント端末に表示される画面の例を示す図である。
【００８２】
先ず、図１１により本発明の一実施形態に係る省エネルギー支援システムの全体の処理を説明する。
【００８３】
子機である電力計測センサ９０より、子機ＩＤを付加して、一定時間（本実施形態では、１分間）ごとに、親機である電力管理端末１００に、電力データ（時間ごとの消費電力量）が送信される（Ａ０１）。
【００８４】
電力管理端末１００は、データをＵＳＢメモリ１６０に保持し（Ｓ０１）、自らの親機ＩＤと受信した子機ＩＤを付加して、一定時間（本実施形態では、１時間）ごとに、インターネットによりサーバ３０にアップロードする（Ａ０２）。
【００８５】
サーバ３０は、ＨＤＤ２４１に、アップロードされたデータを、図５に示した測定データテーブルに格納する（Ｓ０２）。
【００８６】
また、測定データに基づき、電力量の集計処理や電気代換算処理を行う（Ｓ０３）。
【００８７】
そして、Ｓ０３で演算された値やカレンダーの値、天気情報などを参照して、アドバイス判定処理を行う（Ｓ０４）。なお、アドバイス判定処理は、次に詳細に説明する。
【００８８】
そして、クライアント端末２０ａ，２０ｂから、ページ表示要求があったとき（Ａ０３）、Ｓ０４で選択されたアドバイスと、Ｓ０３で演算された値やカレンダーの値、天気情報などの必要な情報に基づき、Ｗｅｂページを生成する（Ｓ０５）。
【００８９】
そして、ユーザのクライアント端末２０ａ，２０ｂに送信する（Ａ０４）。
【００９０】
ユーザが、表示画面の「参考になった!」ボタンを押すなどのアクションをおこしたときには（Ｓ０６）、それをサーバ３０にフィードバックする（Ａ０５）。
【００９１】
次に、Ｓ０４のアドバイス判定処理について詳細に説明する。
【００９２】
本実施形態は、家庭内での電気機器を使用するユーザが設定した目標値に対する消費電力や天気予報等からユーザに適切なアドバイスを提供するものである。アドバイス判定条件やアドバイスは、システムメンテナンスによりシステム管理者が、サーバ３０上で追加・変更できる。
【００９３】
アドバイスの判定条件は、例えば、以下の表１に示されるものが考えられる。
【００９４】
【表１】
2013124993.tif 000003
【００９５】
アドバイスはサーバ３０上で実行されるアドバイス判定処理により複数ピックアップされ、その中から定義された確率に基づき選択して表示を行う。ただし、アドバイス判定処理におけるサーバ負荷を考慮し、毎回全パラメタを計算するのではなく、優先度の高い判定条件から処理を行い、ピックアップされたアドバイスが規定数に達した段階で判定処理を終了する。アドバイス判定は、例えば、標準で、１日１回として、実行時刻/間隔は設定で変更できるようにする。また、アドバイス判定を行うユーザの権限に基づき、表示するページを限定する機能や、ユーザが閲覧したアドバイスの出現率を自動的に減少させる機能を持たせるようにしてもよい。
【００９６】
アドバイス判定の具体的な処理手順の概要は、図１２に示されるようになる。
（１）アドバイス判定は、［判定条件］と［アドバイス選択］の二つの処理から構成される。
（２）［判定条件］では、目標値や実績などからアドバイスのレベルのみを判定する。
（３）［アドバイス選択］ではアドバイスのレベルに合致するメッセージの抽選を行う。
（４）メッセージ毎に設定された確率により、同一条件でも異なるアドバイスが抽出される（図８）。
（５）確定アドバイスが規定数に達したらアドバイス判定を終了する。ここで、規定数とは、図９に示した確定アドバイスキューのエントリ数である。
【００９７】
なお、図１２において「アドバイスＹＶ１」の表記は、図７Ａにおける昨日の実績に対するアドバイスにおけるレベル１のＡＩＤ＝”ＹＶ１”のアドバイスであることを意味する。また、空欄のアドバイスは、「空振り」と表記しており、このときには、確定アドバイスのキューには、アドバイスは蓄積されない。
【００９８】
そして、適用する表１の［判定条件］、それに対する図６に示したアドバイス判定条件をアドバイス判定セットとしてまとめたマスタを定義し、そのアドバイス判定セットを各ユーザに設定する。これにより、アドバイス判定セット毎に異なる条件、処理順序で、各ユーザや適用時期毎に合わせた柔軟なアドバイス判定を行うことができる。
【００９９】
判定条件は、図１３に示されるように処理順序を必要に応じて自由に入れ替えることができる。
【０１００】
例えば、図１４（ａ）に示されるように、月の後半以降など、[今月の実績判定]の目標値超過だけに絞った判定条件を配置することで、出力すべきアドバイス判定を優先して行うことができる。
【０１０１】
また、月初めの場合、先月の実績判定を優先し、先月の目標達成率を表示するようにしてもよい。また、平均気温のデータを参照したアドバイスでもよい。例えば、例年より平均気温が高かったにもかかわらず目標を達成しました等のアドバイスである。
【０１０２】
さらに、月初めの場合、目標を再設定させるような判定を優先して、先月の実績値に応じて、電気料金の目標金額を上げる、また、下げる等をアドバイスなどである。
【０１０３】
また、月の実績判定は、最優先で判定し、目標超過し、ユーザが目標超過を認識(目標超過してる旨のアドバイスを閲覧)したら優先度を下げる、あるいは判定しないなどのロジックをとることもできる。
【０１０４】
また、図１４（ｂ）に示されるように、他サービスのイベントタイミング等に合わせて条件を配置することで、システム管理者の意図するアドバイス判定を先に行うことができる。
【０１０５】
イベント日は、それに即した判定ロジックを優先することもできる。イベント日は、例えば、夏の省エネ総点検の日（毎年８月１日）の告知をする、あるいは、当日の天気予報によって天候による判定条件を上げるなどのロジックが考えられる。
【０１０６】
さらに、季節の変化に応じて、オンラインショップのおすすめ商品を表示するようにしてもよい。例えば、目標を達成できなかった際、オンラインショップの省エネグッズを表示するのもビジネスモデルの一例として考えられる。
【０１０７】
また、図７Ａないし図７Ｇでも具体的に示したように、本実施形態では、図１５に示されるように、各判定条件のアドバイス判定レベル毎に複数のアドバイスを持つことができ、またアドバイス個々に選択確率を持つことによって、同一条件下でもアドバイスが固定化されず、様々なアドバイスを提供することができ、ユーザが省エネルギーに関するページを閲覧することを飽きるのを防ぐことができる。
【０１０８】
また、図１６（ａ）に示されるように、判定条件の優先度そのものは高くても、その判定結果のレベルが低いときに他の判定条件を優先させたい場合（昨日の実績判定のレベルＹ１のように目標を達成しているときにより効果のあるアドバイスを優先させたい場合）、そのレベルのアドバイスの空振りの確率を高くしておき、実質的な（空振りでない）アドバイスの選択確率を低く設定しておくことにより、表示されない確率が高くなり、次の判定条件へ移行しやすくなる。
【０１０９】
また、図１６（ｂ）に示されるように、他の判定条件で適切なアドバイスが選択されていなくても、何かアドバイスを表示したい場合には、最後の判定条件では空振りできないようにするため最後の判定条件の各レベルについてアドバイス選択確率をトータル１００%にしておく必要がある。最終判定としては、個々の条件に左右されない一般節電アドバイスなどを多く準備しておき、その中からレベル/選択確率に従いアドバイスを確定させればよい。さらに、最後の判定条件で、確定アドバイスが規定数に達していない場合、同一レベル内で規定数までアドバイスを複数選択する必要がある。
【０１１０】
また、端末上で表示されたアドバイスをログとしてサーバ側に保存しておき、一度表示されたアドバイスの表示確率を下げるようにしてもよい。
【０１１１】
また、「参考になった!」ボタン(ユーザにとって良いアドバイスだった場合押してもらうボタン)が押されたメッセージは、選択確率を上げるようにしてもよい。
【０１１２】
次に、アドバイス判定の処理を具体的に示すと、図１７に示されるようになる。
【０１１３】
ここで、アドバイスの判定条件は、高い順から昨日の実績判定→今日の実績判定→…となっているものとする。
【０１１４】
例えば、先ず、昨日の実績判定の判定を行う（Ｓ１０）。そして、図７Ａのアドバイステキストテーブルから、選択確率に基づき、アドバイスを選択する（Ｓ２０）。そして、蓄積していたアドバイスが規定数（確定アドバイスキューのエントリ数）に達したときには（Ｓ３０）、処理を終了する（Ｓ４０）
同様に、今日の実績判定の判定を行う（Ｓ１１）。そして、図７Ａのアドバイステキストテーブルから、選択確率に基づき、アドバイスを選択する（Ｓ２１）。そして、蓄積していたメッセージが一定数に達したときには（Ｓ３１）、処理を終了する（Ｓ４１）
そして、アドバイス数が規定数に到達したり、判定処理の終端に達したときには、処理を終了する。
【０１１５】
ここで、例えば、昨日の実績判定は、図１８に示されるように、昨日の電気代／目標値の割合に応じて、レベルを選択することにする。例えば、昨日の電気代／目標値が、９７％以上１０３％未満のときには、図７Ａのレベル３のレコード（横欄）のアドバイス群（Ｙ３アドバイス群）を選択することになる。
【０１１６】
そして、Ｙ３アドバイス群には、図１９に示される選択確率が定義されており、それに基づき、一つを選択し、確定アドバイスキューにＦＩＦＯにより蓄積する。このときは、選択されたのが、空振りのときには、確定アドバイスキューには蓄積されず、次のアドバイス判定条件の判定に移行する。
【０１１７】
次に、図２０Ａ，図２０Ｂを用いて省エネルギー支援のＷｅｂページの表示画面例を説明する。
【０１１８】
ここでは、クライアント端末２０ａがスマートフォンであるものとする。
【０１１９】
サーバ３０から、クライアント端末２０ａに、図２０Ａに示すようなメインページ４００がダウンロードされて表示される。
【０１２０】
ここでは、今日の電気料金４０１、昨日の電気料金４０２、今月の電気料金４０３、累計節約料金４０４、一言アドバイス４０５、天気情報４０６が表示されている。
【０１２１】
一言アドバイス４０５をクリックすると、図２０Ｂに示される詳細アドバイスページ５００が表示される。詳細アドバイスページ５００には、具体値がおりこまれたアドバイス５０１〜５０３が表示されている。
【０１２２】
ユーザが、このページが参考になったと感じたときには、「参考になった!」ボタン５０４をクリックすることにより、サーバ３０の管理情報にフィードバックすることができる。
【符号の説明】
【０１２３】
１０…電力計測センサ（子機）、２０ａ，２０ｂ…クライアント端末、３０…サーバ、４０…ルータ、４１…基地局、８０…分電盤、９０…電力量センサー、１００…電力管理端末（親機）、
１１０…ＭＰＵ、１２０…ＲＡＭ、１３０…ＲＯＭ、１４０…ネットワークＩＦ、１５０…ＵＳＢＩＦ、１６０…ＵＳＢメモリ、１７０…無線ＩＦ、１８０…アンテナ、
２１０…プロセッサ、２１２…ＲＡＭ、２１４…フラッシュメモリ、２２０…ディスプレイＩＦ、２２２…液晶ディスプレイ、２３０…タッチパネルＩＦ、２３２…タッチパネル、２４０…オーディオＩＦ、２４２…スピーカ、２５０…カードスロット、２６０…ＵＳＢＩＦ、２７０…無線ＩＦ、２７２…アンテナ、
３０１…ＣＰＵ（Central Processing Unit）、３０２…主記憶装置、３０３…ネットワークＩＦ、３０４…グラフィックＩＦ、３０５…入出力ＩＦ、３０６…補助記憶装置ＩＦ。
【図１】
2013124993.tif 000004
【図２】
2013124993.tif 000005
【図３】
2013124993.tif 000006
【図４】
2013124993.tif 000007
【図５】
2013124993.tif 000008
【図６】
2013124993.tif 000009
【図７Ａ】
2013124993.tif 000010
【図７Ｂ】
2013124993.tif 000011
【図７Ｃ】
2013124993.tif 000012
【図７Ｄ】
2013124993.tif 000013
【図７Ｅ】
2013124993.tif 000014
【図７Ｆ】
2013124993.tif 000015
【図７Ｇ】
2013124993.tif 000016
【図８】
2013124993.tif 000017
【図９】
2013124993.tif 000018
【図１０】
2013124993.tif 000019
【図１１】
2013124993.tif 000020
【図１２】
2013124993.tif 000021
【図１３】
2013124993.tif 000022
【図１４】
2013124993.tif 000023
【図１５】
2013124993.tif 000024
【図１６】
2013124993.tif 000025
【図１７】
2013124993.tif 000026
【図１８】
2013124993.tif 000027
【図１９】
2013124993.tif 000028
【図２０Ａ】
2013124993.tif 000029
【図２０Ｂ】
2013124993.tif 000030
【国際調査報告】
2013124993.tif 000031
2013124993.tif 000032
2013124993.tif 000033
2013124993.tif 000034